(57)【特許請求の範囲】
【請求項１】
放送局から発信される放送信号を受信する受信手段と、前記受信手段で検出される複数の放送局に関する情報を記憶する記憶手段と、前記複数の放送局に関する情報をそれぞれ割り当てて表示する複数の表示部付き操作手段とを備える表示装置であって、
前記記憶手段に記憶されている前記放送局に関する情報を前記複数個の表示部付き操作手段に表示させ、前記表示部付き操作手段のうちのいずれか一の操作手段が操作されると、前記記憶手段に記憶されている前記放送局に関する情報のうち、前記操作された表示部付き操作手段の情報以外の前記放送局に関する情報を前記複数個の表示部付き操作手段に表示させる制御手段を備えたことを特徴とする表示装置。
【請求項２】
前記複数個の表示部付き操作手段に設けられている前記表示部以外の表示手段を更に備え、前記制御手段は、前記操作された表示部付き操作手段の放送局に関する情報を前記表示手段に表示させることを特徴とする請求項１に記載の表示装置。
【請求項３】
前記制御手段は、前記表示部付き操作手段の数より前記記憶手段に記憶されている情報の数が多いと、前記表示部付き操作手段の数づつの組に区分けし、それぞれ区分けされた情報毎に前記表示部付き操作手段に表示させることを特徴する請求項１又は２に記載の表示装置。
【発明の詳細な説明】
【０００１】
【発明の属する技術分野】
本発明は、例えばオーディオ機器や映像機器その他の電子機器に設けられる表示装置に関し、特に、既に取得している情報を使用者等の指示に応じて表示する表示装置に関するものである。
【０００２】
【従来の技術】
周知の如く、各種の電子機器には様々な表示装置が設けられている。これらの表示装置のうち、使用者等が希望する情報を対話的に表示する多機能の表示装置が知られている。
【０００３】
図１３は、多機能表示装置の従来例として、使用者等が選局したラジオ放送局の周波数を表示する、車載用オーディオ装置に設けられた表示装置の構成例を示している。図１３において、この車載用オーディオ装置のフロントパネル１には、表示部２、コンパクトディスク挿入口３、カートリッジテープ挿入口４の他、音量調整用釦５、手動選局釦６、自動選局釦７、ワンタッチ選局釦８〜１３等の各種操作釦が設けられている。表示部２と手動選局釦６と自動選局釦７及びワンタッチ選局釦８〜１３により、使用者等が所望の放送局を選局するための選局機能を備えた多機能表示装置が構成されている。
【０００４】
使用者等が手動選局釦６又は自動選局釦７を操作すると、車載用オーディオ装置内に搭載されているチューナが放送局から発信される放送を受信し、各放送局の周波数をワンタッチ選局釦８〜１３に割り当てる。また、使用者等がワンタッチ選局釦８〜１３のいずれか１つを選択操作すると、選択されたワンタッチ選局釦の周波数をチューナの受信周波数に設定し、更に、受信周波数とＡＭ／ＦＭ周波数の受信バンドを文字等によって表示部２に表示するようになっている。
【０００５】
より具体的には、手動選局釦６は、使用者等が放送局を１つづつ手動でプリセットするために設けられている。使用者が選局釦６を押すと、選局釦６が押される毎に、上記チューナーが低い周波数から高い周波数へ順次に選局し、使用者等の操作により選局された放送局の周波数を記憶手段に記憶させると共に、各放送局の周波数をワンタッチ選局釦８〜１３に割り当てる。
【０００６】
自動選局釦７は、使用者等が複数の放送局を自動的にプリセットするために設けられている。使用者等が自動選局釦７を１回押すと、上記チューナが低い周波数から高い周波数へ連続して選局し、放送を受信する度にその放送局の周波数を自動的に上記記憶手段に記憶させると共に、各放送局の周波数をワンタッチ選局釦８〜１３に割り当てる。
【０００７】
使用者等が手動選局釦６又は自動選局釦７によって上記のプリセットを行った後、ワンタッチ選局釦８〜１３のうちの１つを押すと、そのワンタッチ選局釦に割り当てられた周波数をチューナの受信周波数に設定すると共に、表示部２に受信周波数とＡＭ／ＦＭの受信バンドを文字等によって表示する。
【０００８】
このように、使用者等が放送局をプリセットすると、次回からはワンタッチ選局釦８〜１３を操作するだけで所望の放送局を簡単に選局することが可能となり、更に、表示部２の表示内容に基づいて所望の放送局が選局されたか否かを確認できるようになっている。
【０００９】
【発明が解決しようとする課題】
ところで、上記従来の表示装置は、ワンタッチ選局釦８〜１３に各放送局の周波数を１対１に対応付けて割り当てておき、使用者等が操作するワンタッチ選局釦に該当する放送局の周波数を表示部２に表示するという機能を有しているにすぎない。このため、ワンタッチ選局釦８〜１３の個数以上の放送局を表示部２に表示させることができないという問題があった。
【００１０】
また、多くの放送局をプリセットできるようにするためにワンタッチ選局釦の数を増やす方法も考えられるが、単にワンタッチ選局釦の数を増しただけでは、使用されないワンタッチ選局釦が増えて冗長になるという問題があり、また、車載用オーディオ装置のように限られたスペース内に多数のワンタッチ選局釦を設けることは極めて困難であった。
【００１１】
また、最後に操作されたワンタッチ選局釦で選局された放送局のみを表示部２に表示するようになっている。すなわち、スピーカから現在出力されている放送の放送局のみが表示部２に表示されるようになっている。このため、使用者等がプリセットされている放送局の中から別の放送局を選局しようとすると、残りのワンタッチ選局釦を当てずっぽうに操作し、所望の放送局が表示部２に表示されるまで、上記の操作を繰り返さなければならないことから、必ずしも操作性がよいとはいえなかった。
【００１２】
また、複数の放送局が同時に表示されないため、使用者等がプリセットされている放送局を確認する場合にも、ワンタッチ選局釦８〜１３を順繰りに操作し、表示部２に表示される放送局を１つ１つ切換えながら確認する必要があり、必ずしも操作性がよいとはいえなかった。
【００１３】
また、車両運転中に使用者等がこれらの操作を行うことは、必ずしも好もしいことではなかった。
【００１４】
本発明はこのような従来技術に鑑みてなされたものであり、既に取得している情報を使用者等の指示に応じてより効果的に表示する表示装置を提供することを目的する。
【００１５】
【課題を解決するための手段】
上記目的を達成するために本発明は、放送局から発信される放送信号を受信する受信手段と、前記受信手段で検出される複数の放送局に関する情報を記憶する記憶手段と、前記複数の放送局に関する情報をそれぞれ割り当てて表示する複数の表示部付き操作手段とを備える表示装置であって、前記記憶手段に記憶されている前記放送局に関する情報を前記複数個の表示部付き操作手段に表示させ、前記表示部付き操作手段のうちのいずれか一の操作手段が操作されると、前記記憶手段に記憶されている前記放送局に関する情報のうち、前記操作された表示部付き操作手段の情報以外の前記放送局に関する情報を前記複数個の表示部付き操作手段に表示させる制御手段を備えたことを特徴とする。
【００１６】
また、前述の特徴に併せて、前記複数個の表示部付き操作手段に設けられている前記表示部以外の表示手段を更に備え、前記制御手段は、前記操作された表示部付き操作手段の放送局に関する情報を前記表示手段に表示させることを特徴とする。
【００１７】
更に、前述の特徴に併せて、前記制御手段は、前記表示部付き操作手段の数より前記記憶手段に記憶されている情報の数が多いと、前記表示部付き操作手段の数づつの組に区分けし、それぞれ区分けされた情報毎に前記表示部付き操作手段に表示させることを特徴する。
【００２１】
【発明の実施の形態】
以下、本発明の実施の形態を図面を参照して説明する。尚、一実施の形態として、車載用オーディオ装置に設けられる表示装置について説明する。図１において、本車載用オーディオ装置１４の操作パネル１５には、液晶ディスプレイ等から成る表示手段としての表示部１６と、コンパクトディスク（ＣＤ；Conpact Disc）を挿入するための挿入口１７と、ミニディスク（ＭＤ；Mini Disc）を挿入するための挿入口１８が設けられている。更に、挿入口１８の下方には、４個づつを組にして２段に配設された操作釦１９〜２２，２３〜２６と、操作釦２２，２６の右側にそれぞれ配設された操作釦２７，２８が備えられている。そして、表示部１６と操作釦１９〜２８によって、本実施形態に係る表示装置が構成されている。
【００２２】
ここで、操作釦１９〜２２は、主としてプリセットされている放送局を選局するために設けられ、操作釦２７は、主として車両に搭載されているオーディオシステムを調節するためのファンクションキーとして設けられている。また、操作釦２３〜２６，２８は、主として車両に搭載されているエアーコンディショナーの現在の動作状況等を表示させたりその動作を調節するためのファンクションキーとして設けられている。
【００２３】
これらの操作釦１９〜２８は、いずれも図２の縦断面図に示す構造を有している。すなわち、操作パネル１５の所定部分に穿設された矩形状の穴２９を介して外側に露出する窓部材３０と、窓部材３０の背面側に所定の隙間をもって対向配置されたエレクトロルミネッセンス３１とを備えて構成されている。
【００２４】
窓部材３０は、透明なプラスッチックで成形されており、その一端３０ａが電気回路基板３２上に立設されている支持部材３３によって揺動自在に支持され、外部から力が付与されない状態では常に穴２９側に付勢され、使用者等が操作パネル１５の前面側から押すと、エレクトロルミネッセンス３１側へ若干揺動するようになっている。
【００２５】
窓部材３０の他端３０ｂには、電気回路基板３２上に設けられた電気接点３４に対し所定の隙間をもって対向する電気接点３５が設けられている。使用者等が窓部材３０を操作パネル１５の前面側から押すと、上記の揺動により電気接点３４，３５が電気的に接触し、後述する中央制御部３７がこの電気的接触を検出することで、使用者等によりスイッチ操作が行われたと判定する。
【００２６】
エレクトロルミネッセンス３１は、透過型の液晶ディスプレイやドットマトリックス型の発光ダイオード等で構成され、中央制御部３７から供給される表示データに基づいて、窓部材３０に面した表示領域に文字や図形等を表示する。
【００２７】
かかる構成により、操作釦１９〜２８は表示可能な押し釦式スイッチ、すなわち、表示部付き操作手段となっており、使用者等はエレクトロルミネッセンス３１で表示される文字や図形等を透明な窓部材３０を通して見ることができるようになっている。
【００２８】
図３は、本表示装置を制御する制御回路３６の構成を示すブロック図である。同図において、制御回路３６には、表示部１６と操作釦１９〜２８が接続されたマイクロプロセッサ（ＭＰＵ）を有する中央制御部３７が設けられている。また、中央制御部３７には、プログラム記憶部３８、表示データ記憶部３９、選局データ記憶部４０、プリセットデータ記憶部４１が接続される他、ＡＭ／ＦＭチューナを備えた受信機４２と、上記コンパクトディスクとミニディスクを再生するＣＤ再生装置４３とＭＤ再生装置４４、スピーカ４５及びエアーコンディショナー４６が接続されている。
【００２９】
ここで、プログラム記憶部３８には、予め設定されたシステムプログラムが記憶されており、中央制御部３７が操作釦１９〜２８の操作に応じて上記システムプログラムを実行することにより、本表示装置の表示動作を制御するようになっている。表示データ記憶部３９には、表示部１６に表示すべき文字や図形等の表示データが予め記憶されている。選局データ記憶部４０には、図４に示すように、ラジオ放送用周波数のチャンネル番号表に掲載されている全国の放送局（Ｂ１）〜（Ｂｎ）とそれらの周波数及びＡＭ／ＦＭ等の周波数バンドに関するデータが予め記憶されている。プリセットデータ記憶部４１は、後述のプリセットにより取得した放送局とその周波数のデータを所定形式のコードデータとして記憶するために設けられている。また、図５に示すように、上記コードデータには、放送局とその周波数のデータに対応付けられた選局頻度とページの項目データが設けられている。
【００３０】
次に、上記構成を有する表示装置の作動について図５〜図１０を参照して説明する。使用者等が車両のイグニッションキーを操作し電源オンの状態にすると、中央制御部３７がこれを検知してデフォルト表示モードを設定する。これにより、図６に示すように、表示部１６には、暦と月日及び現在時刻等が表示され、操作釦１９〜２２，２７のそれぞれには、ＡＭ／ＦＭ受信機４２とＣＤ再生装置４３及びＭＤ再生装置４４の操作と、オーディオ調整の操作が可能である旨の表示が行われ、操作釦２３〜２６，２８のそれぞれには、エアーコンディショナー４６の調整操作が可能である旨の表示が行われる。
【００３１】
このディフォルト表示モードで、使用者等が「ＣＤ」の表示がなされた操作釦２１を選択的に押すと、図７に示すように、表示部１６には、ＣＤ再生装置４３中にコンパクトディスクが挿入されていることの有無や、挿入されているコンパクトディスクに記録されている曲名や記録時間、選択トラック等のＣＤ再生に関する関連情報が文字や図形等で表示される。操作釦１９〜２６のそれぞれには、再生開始や早送り等のＣＤ再生装置４３を操作するのに必要な操作ボタン表示が行われる。
【００３２】
また、使用者等が「ＭＤ」の表示がなされている操作釦２２を選択的に押した場合にも、図７と同様に、ＭＤ再生に関する関連情報が表示される。
【００３３】
図６のディフォルト表示モードで、「Ａ／Ｃ」の表示がなされた操作ボタン２８が押されると、図８に示すように、表示部１６には、エアーコンディショナー４６の動作状況や車内温度等が表示され、操作釦１９〜２６のそれぞれには、エアーコンディショナー４６を調節するために必要な操作ボタン表示が行われる。また、図６のディフォルト表示モードで、操作釦２３〜２６が選択的に押されると、その選択された操作釦に表示されている項目に関連する操作内容が、表示部１６と操作釦２３〜２６に切換え表示されるようになっている。
【００３４】
更に、図６に示すディフォルト表示モードで、「ＡＭ」の表示がなされている操作ボタン１９が押されると、図９に示すように、表示部１６には、受信機４２が現在受信中の放送局の局名とその周波数及び受信バンド等の関連情報が文字や図形等によって表示される。操作釦１９〜２２には、プリセットデータ記憶部４１に既に記憶されている放送局の局名が文字等によって表示される。また、操作釦２３〜２６には、オーデオシステムを調節するためのファンクションキーとして機能することを示す表示が行われる。
【００３５】
ここで、図９中の「AUDIO CONT.」の表示がなされた操作釦２３が押されると、図１０に示すように、操作釦２３〜２６には、各スピーカ４５の音量バランスや再生音の周波数特性を調整するためのファンクションキーに切換わった旨の表示が行われ、使用者等がそれぞれの操作釦２３〜２６を操作することによりオーディオシステムの調整を行うことができる。
【００３６】
図９に示した「AUTO  PRESET」の表示がなされた操作釦２４が押されると、新たに放送局を自動的にプリセットするためのプリセットモードとなり、中央制御部３７の制御下で次のプリセット処理が行われる。受信機４２のチューナが低い周波数から高い周波数へ連続して選局し、放送を受信する度にその放送局の周波数を自動的にプリセットデータ記憶部４１に記憶させると共に、受信強度の強い周波数を周波数の低い順からプリセットデータ記憶部４１に記憶させる。
【００３７】
更に、選局した各周波数に該当する放送局の局名を選局データ記憶部４０から検索し、図５に示したように、放送局とその周波数を対応づけてプリセットデータ記憶部４１に記憶させる。更に、選局された放送局の数が操作釦１９〜２２の個数Ｎ（＝４個）より多い場合には、最も受信強度が強く且つ最も低い周波数の放送局を第１番目の記憶領域に記憶させ、残りの放送局をＮ個（＝４個）ずつの組に区分けして、各組のページ項目に“001”，“010”，“011”等のバイナリーデータでページ番号を付すようになっている。
【００３８】
プリセットが完了すると、図９に示したように、表示部１６には、プリセットデータ記憶部４１の第１の記憶領域（NO.1）に記憶されている放送局（Ｂ１）とその周波数ｆ1,1及び周波数バンド等の関連情報が表示されると共に、放送局（Ｂ１）の放送が受信可能となり、第１ページに該当する４個の放送局（Ｂ４），（Ｂ５），（Ｂ６），（Ｂ８）とそれらの周波数が操作釦１９〜２２に表示される。
【００３９】
そして、使用者等が操作釦１９〜２２の何れか１つを押して放送局を選択すると、表示部１６に表示されていた放送局の局名と、押された操作釦に表示されていた放送局の局名が入れ換えて表示され、その入れ換え表示によって表示部２に新たに表示された放送局の周波数が受信周波数となって、放送を聴くことができる。
【００４０】
より具体的には、例えば、「放送局（Ｂ１）」の放送を受信しているときに、「放送局（Ｂ５）」が表示されている操作釦２０が押されると、図５に示す第１番目の記憶領域（NO.1）に記憶されているデータと第３番目の記憶領域（NO.3）に記憶されているデータが入れ換えられる。この結果、図９に示した表示内容が図１１に示すように切り換えられ、表示部１６には「放送局（Ｂ５）」に関する関連情報が切換え表示され、操作釦２０には、「放送局（Ｂ１）」の局名が切換え表示され、残り３個の操作釦１９，２１，２２の表示はそのまま維持される。
【００４１】
また、操作釦１９〜２２によって選局が行われると、図５に示したように、各放送局毎に設けられている選局頻度の項目に、選局された放送局の選択頻度データを記憶させると共に、選択頻度の高い放送局に関するデータをプリセットデータ記憶部４１中のより上位の記憶領域に入れ換えることで、使用者等が好む放送局を優先的に表示部１６と操作釦１９〜２２に表示させることができるようになっている。
【００４２】
また、上述したように、プリセットモードで選局された放送局の数が操作釦１９〜２２の個数Ｎより多い場合には、図９中の、改ページ記号「∨」が表示された操作釦２５を使用者等が押すと、ページ切換えモードとなり、次の下位ページに該当する放送局（Ｂ９），（Ｂ11），（Ｂ15），（Ｂ18）の局名が操作釦１９〜２２に切換え表示される。また、改ページ記号「∨」が表示された操作釦２５が押される毎に、順次に下位ページに該当する放送局の局名が操作釦１９〜２２に切換え表示され、別の放送局を所謂ワンタッチ操作で選局することができるようになっている。但し、ページ切換えモードでは、表示部１６の表示は変更されないため、使用者等は現在受信中の放送局の放送を継続して聴くことができるようになっている。
【００４３】
また、図９中の改ページ記号「∧」が表示された操作釦２６が押されると、上記同様のページ切換えモードとなり、この操作釦２６が押される毎に、上位ページに該当する放送局の局名が順繰りに操作釦１９〜２２に切換え表示される。
【００４４】
尚、図６に示したディフォルト表示モードの状態で、「ＦＭ」の表示がなされている操作釦２０が押された場合には、図９に示したのと同様の表示が行われるので、「ＡＭ」の表示がなされている操作釦１９が押された場合と同様に、ＦＭ放送の放送局をプリセットしたり、ワンタッチ選局等の操作を行うことができる。
【００４５】
また、図７〜図１０に示した表示が行われている状態で、使用者等が「ＡＵＤＩＯ」の表示がなされている操作釦２７又は「Ａ／Ｃ」の表示がなされている操作釦２８を押すと、強制的に図６に示したデフォルト表示に切換わり、また、図７〜図１０に示した表示が予め決められた時間継続すると、自動的に図６に示したデフォルト表示に切換わるようになっている。
【００４６】
このように本実施形態によれば、現在受信中の放送局の関連情報を表示部１６に表示させ、現在受信中でない放送局の局名を操作釦１９〜２２に表示させるようにしたので、所謂ワンタッチ選局用の操作釦１９〜２２がＮ個（４個）であるにもかかわらず、操作者等にとっては、表示部１６に表示される放送局を加えて、実質的にＮ＋１個（５個）の選局を行うことができる。
【００４７】
換言すれば、従来技術では、Ｎ個の放送局を表示させるにはＮ個のワンタッチ選局釦を設ける必要があったのに対し、本実施形態では、表示部１６に表示される放送局の関連情報は操作釦１９〜２２に表示せず、表示部１６に表示されない放送局の局名のみを操作釦１９〜２２に表示するようにしたので、Ｎ個の操作釦１９〜２２によって実質的にＮ＋１個の放送局を表示することができる。このため、操作釦の数を減らすことが可能となっている。
【００４８】
また、表示部１６と操作釦１９〜２２によってＮ＋１個の放送局を同時に表示するので、使用者等は一目で選局可能な複数の放送局を確認することができる。このため、使用者等にとって視認性と操作性の良い表示装置を提供することができる。また、車両運転中の安全確保にも寄与するものである。
【００４９】
また、選局のための操作釦の数を減らしても複数の放送局を表示することができることから、操作釦の数が少なくなる分、それぞれの操作釦を大きな形状にすることが可能となる。この結果、使用者等にとって視認性と操作性の良い表示装置を実現することができる。
【００５０】
尚、本実施形態では、操作釦１９〜２２のいずれか１つが選択的に操作されると、その操作された操作釦に表示されていた放送局に関する情報を表示部１６に表示することで、使用者等が引き続きその放送局の情報を見ることができるようにしたが、本発明はこれに限定されるものではない。すなわち、使用者等が操作釦１９〜２２のうちの１つを選局操作すれば、使用者等にとってその目的を達成したことになるため、選局操作された操作釦に表示されていた放送局に関する情報を表示部１６に表示しなくともよい。
【００５１】
また、本実施形態では、機械式の操作釦１９〜２８を備える場合を説明したが、本発明はこれに限定されるものではない。変形例として、図１２に示すように、操作パネル１５に比較的大型の表示部４６を設け、この表示部４６に、図１に示した表示部１６と操作釦１９〜２８に相当する表示（アイコン表示という）を行い、使用者等がそれぞれのアイコン表示に触れることで、機械式の操作釦１９〜２８を操作したのと同様の機能を発揮させるようにしてもよい。すなわち、所謂タッチ式の表示部４６を設けてもよい。
【００５２】
また、図１１に示したように、本実施形態では、操作釦１９〜２２のうちの１個が押されると、その押された操作釦に割り当てられている放送局の局名と周波数等に関する関連情報が表示部１６に切換え表示され、表示部１６に表示されていた放送局の局名がその操作釦に切換え表示される場合を説明したが、本発明は、これに限定されるものではない。例えば、上記の表示部１６に表示されていた放送局の局名を操作釦１９〜２２に表示するのはやめて、空いた操作釦に、プリセットデータ記憶部４１に記憶されている他の放送局の局名を表示させてもよい。
【００５３】
また、上記の空いた操作釦の右側に位置する操作釦の表示を左側に詰めて表示するようにし、最も右側に位置する操作釦２２に、表示部２に表示されていた放送局の局名を表示させたり、プリセットデータ記憶部４１に記憶されている他の放送局の局名を表示させる等、他の表示配列を行ってもよい。
【００５４】
また、使用者等が操作釦１９〜２２を押した場合には、表示部１６に表示されていた放送局の情報は、再び操作釦１９〜２２のいずれかに割り付けられるが、この割付を、使用者等の使用頻度や、受信強度、周波数の高い順若しくは周波数の低い順に行うようにしてもよい。
【００５５】
このディフォルト表示モードで、使用者等が「ＣＤ」の表示がなされた操作釦２１を選択的に押すと、図７に示すように、表示部１６には、ＣＤ再生装置４３中にコンパクトディスクが挿入されていることの有無や、挿入されているコンパクトディスクに記録されている曲名や記録時間、選択トラック等のＣＤ再生に関する関連情報が文字や図形等で表示される。操作釦１９〜２６のそれぞれには、再生開始や早送り等のＣＤ再生装置４３を操作するのに必要な操作ボタン表示が行われる。
【００５６】
また、本実施形態では、図７において、ＣＤ再生装置４３が選択されると、コンパクトディスクに関する情報を表示部１６に表示して、操作釦１９〜２６のそれぞれに、再生開始や早送り等の操作するための表示を行うこととした。しかし、操作釦１９〜２６は情報表示が可能であるという多機能性を有していることから、例えば、図７に示した表示状態で、操作釦１９〜２６が更に操作されて、ＣＤ再生装置４３に再生動作を行わせた場合に、操作釦１９〜２６に、再生操作に関する情報以外の操作情報をこれらの操作釦１９〜２６に表示させるようにしてもよい。すなわち、ＣＤ再生装置４３の動作状態に応じて、多様な情報を階層化して各操作釦１９〜２６に表示させるようにしてもよい。
【００５７】
また、ＭＤ再生装置４４についても、ＭＤ再生装置４４の動作状態に応じて、多様な情報を階層化して各操作釦１９〜２６に表示させるようにしてもよい。
【００５８】
また、車載用オーディオ装置に設けられる本実施形態の表示装置はあくまでも一例であり、本発明は他の電子機器に広く適用することができるものである。
【００５９】
例えば、本発明の表示装置をテレビジョン受像機に設けることにより、テレビジョン放送用周波数のチャンネル切換えとチャンネル表示を、少ない操作釦で実現することができる。また、本発明の表示装置をマイクロウェーブオーブン等の調理機器に設けることにより、複数種類のレシピの設定とその表示を少ない操作釦で実現することができる。このように、本発明の表示装置は、極めて広い技術分野に応用することができると共に、いずれの場合にも、本実施形態で説明したのと同様の優れた効果が得られる。
【図面の簡単な説明】
【図１】本実施の形態に係る表示装置の構成を模式的に示示した平面図である。
【図２】本実施の形態に係る表示装置に設けられた操作釦の構造を示す縦断面図である。
【図３】本実施の形態に係る表示装置に設けられた制御回路の構成を示すブロック図である。
【図４】選局データ記憶部のデータ記憶構成を示す説明図である。
【図５】プリセットデータ記憶部のデータ記憶構成を示す説明図である。
【図６】本実施の形態に係る表示装置におけるデフォルト表示を示す説明図である。
【図７】本実施の形態に係る表示装置における表示例を示す説明図である。
【図８】本実施の形態に係る表示装置における他の表示例を示す説明図である。
【図９】本実施の形態に係る表示装置における更に他の表示例を示す説明図である。
【図１０】本実施の形態に係る表示装置における更に他の表示例を示す説明図である。
【図１１】本実施の形態に係る表示装置における更に他の表示例を示す説明図である。
【図１２】本実施の形態に係る表示装置の変形例の構成を模式的に示した平面図である。
【図１３】従来の表示装置の構成を模式的に示した平面図である。
【符号の説明】
１５…操作パネル
１６，４６…表示部
１９〜２８…操作釦
３０…窓部材
３１…エレクトロルミネッセンス
３７…中央制御部
４１…プリセットデータ記憶部
４２…受信機
【図１】
0003691677.tif 000002
【図２】
0003691677.tif 000003
【図３】
0003691677.tif 000004
【図４】
0003691677.tif 000005
【図５】
0003691677.tif 000006
【図６】
0003691677.tif 000007
【図７】
0003691677.tif 000008
【図８】
0003691677.tif 000009
【図９】
0003691677.tif 000010
【図１０】
0003691677.tif 000011
【図１１】
0003691677.tif 000012
【図１２】
0003691677.tif 000013
【図１３】
0003691677.tif 000014